Podtech/llm-jp-corpus-v4-ja_patent huggingface dataset:
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
画像を符号化することにより得られた第１の符号化フレームを復号化する画像予測復号化方法において、
それぞれ前方参照画像，及び後方参照画像として用いられる第２，及び第３の符号化フレームが画像コンテンツデータを含むか否かを、上記第２の符号化フレームに含まれ、第２の符号化フレームが画像コンテンツデータを含むか否かを示す第１のフラグと、上記第３の符号化フレームに含まれ、第３の符号化フレームが画像コンテンツデータを含むか否かを示す第２のフラグとに基づいて決定するステップと、
上記第２の符号化フレームが画像コンテンツデータを含むときのみ、上記前方参照画像として、第２の符号化フレームに対応する復号化フレームを選択するステップと、
上記第３の符号化フレームが画像コンテンツデータを含むときのみ、上記後方参照画像として、第３の符号化フレームに対応する復号化フレームを選択するステップと、
選択された前方参照画像および選択された後方参照画像のうちの少なくとも１つを参照して予測画像を生成するステップと、
生成した予測画像を用いて、予測復号化により第１の符号化フレームを復号化するステップとを含む、
ことを特徴とする画像予測復号化方法。
【請求項２】
請求項１記載の画像予測復号化方法において、
上記画像は、サイズが可変である任意形状オブジェクトを含む、
ことを特徴とする画像予測復号化方法。
【手続補正２】
【補正対象書類名】明細書
【補正対象項目名】００１１
【補正方法】変更
【補正の内容】
【００１１】
【課題を解決するための手段】
本発明の請求項１に係る画像予測復号化方法は、画像を符号化することにより得られた第１の符号化フレームを復号化する画像予測復号化方法において、それぞれ前方参照画像，及び後方参照画像として用いられる第２，及び第３の符号化フレームが画像コンテンツデータを含むか否かを、上記第２の符号化フレームに含まれ、第２の符号化フレームが画像コンテンツデータを含むか否かを示す第１のフラグと、上記第３の符号化フレームに含まれ、第３の符号化フレームが画像コンテンツデータを含むか否かを示す第２のフラグとに基づいて決定するステップと、上記第２の符号化フレームが画像コンテンツデータを含むときのみ、上記前方参照画像として、第２の符号化フレームに対応する復号化フレームを選択するステップと、上記第３の符号化フレームが画像コンテンツデータを含むときのみ、上記後方参照画像として、第３の符号化フレームに対応する復号化フレームを選択するステップと、選択された前方参照画像および選択された後方参照画像のうちの少なくとも１つを参照して予測画像を生成するステップと、生成した予測画像を用いて、予測復号化により第１の符号化フレームを復号化するステップとを含む、ものである。
【手続補正３】
【補正対象書類名】明細書
【補正対象項目名】００１２
【補正方法】変更
【補正の内容】
【００１２】
請求項２にかかる画像予測復号化方法は、請求項１記載の画像予測復号化方法において、上記画像は、サイズが可変である任意形状オブジェクトを含む、ものである。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  ワイヤレスのリモコンと、
このリモコンと電波の送受信を行い、各種制御を行う本体とを備えたリモコン装置において、
前記本体は、
所定の周波数の搬送波を送信する送信部と、
前記リモコンからの反射波を受信する受信部と、
この受信部による反射波の共振周波数域に基づいて各種制御を行う制御部とを備えることを特徴とするリモコン装置。
【請求項２】  ワイヤレスのリモコンと、
このリモコンと電波の送受信を行い、各種制御を行う本体とを備えたリモコン装置において、
前記本体は、
所定の周波数の搬送波を送信する送信部と、
前記リモコンからの反射波を受信する受信部と、
この受信部による反射波の共振周波数域に基づいて各種制御を行う制御部とを備え、
前記リモコンは、
電源供給を要しないアンテナ、複数のインピーダンス素子および複数のインピーダンス素子をオンオフする複数のキースイッチを備え、前記送信部からの搬送波を前記アンテナで受信し、前記キースイッチのオンオフにより前記リモコンのインピーダンスを変化させ、共振周波数域を特定した反射波を前記アンテナから送信することを特徴とするリモコン装置。
【手続補正２】
【補正対象書類名】明細書
【補正対象項目名】０００７
【補正方法】変更
【補正の内容】
【０００７】
【課題を解決するための手段】
この発明に係るリモコン装置において、ワイヤレスのリモコンと、このリモコンと電波の送受信を行い、各種制御を行う本体とを備えたリモコン装置において、本体は、所定の周波数の搬送波を送信する送信部と、リモコンからの反射波を受信する受信部と、この受信部による反射波の共振周波数域に基づいて各種制御を行う制御部とを備えるものである。
また、この発明に係るリモコン装置において、本体は、所定の周波数の搬送波を送信する送信部と、リモコンからの反射波を受信する受信部と、この受信部による反射波の共振周波数域に基づいて各種制御を行う制御部とを備え、リモコンは、電源供給を要しないアンテナ、複数のインピーダンス素子および複数のインピーダンス素子をオンオフする複数のキースイッチを備え、送信部からの搬送波をアンテナで受信し、キースイッチのオンオフによりリモコンのインピーダンスを変化させ、共振周波数域を特定した反射波をアンテナから送信するものである。
【手続補正書】
【提出日】平成16年4月1日(2004.4.1)
【手続補正１】
【補正対象書類名】明細書
【補正対象項目名】００２１
【補正方法】変更
【補正の内容】
【００２１】
この様なマンガンアルミ磁石の優れた性質のうち、回転軸の高速回転化の為に特に重要な性質である引っ張り強度を、サマリウムコバルト磁石と比較して、図２に示す。この図２から明らかな通り、本発明の高速回転スピンドル装置に使用するマンガンアルミ磁石の引っ張り強度は、従来の高速回転スピンドル装置に使用されていたサマリウムコバルト磁石の引っ張り強度よりも遥かに大きい。例えば、外径が１０mm程度のロータを外嵌固定した回転軸を、１０万min-1 を越える様な高速で回転させた場合に生じる大きなフープ応力に耐える為には、当該ロータを構成する界磁マグネットに２００×１０6 Ｎ／ｍ2 以上の引っ張り応力が要求される。この数値を前提として図２を見れば明らかな通り、本発明に使用するマンガンアルミ磁石はこの条件を満足するが、従来使用されていたサマリウムコバルト磁石はこの条件を満たさない。


【手続補正２】
【補正対象書類名】明細書
【補正対象項目名】００３０
【補正方法】変更
【補正の内容】
【００３０】
又、本発明の高速回転スピンドル装置を実施する場合に、高速回転になるとアンバランスによる不釣り合い力が回転性能に影響を及ぼすので、上記回転軸２と前記ロータ９とを組み立てた状態で、アンバランスを取り除く、バランス修正作業を行なう必要がある。このバランス修正作業は、例えば図５に示す様に、上記回転軸２の両端部で上記各玉軸受３、３の内輪４、４を外嵌固定すべき部分を、治具３１、３１により支持した状態で行なう。そして、上記回転軸２及びロータ９を回転させて、この回転軸２の中間部でこのロータ９に近い部分の外周面、或はロータ９の両端面部分を修正面としてバランス修正すれば、適正にバランス修正を行なえる。尚、この様なバランス修正作業を行なう為に、上記回転軸２にアンバランス修正部を設ける事が好ましい。又、バランス修正をグラインダ等を用いて、上記回転軸２或はロータ９の一部を削り取る事により行なう場合には、削り取った部分の円周方向に関する形状は流線形にし、風切音を極力抑える事が望ましい。更に、上記ロータ９の外周面は、このロータ９を上記回転軸２に外嵌固定した後に、上記内輪４、４を外嵌固定すべき部分を支持して研摩を行ない、上記回転軸２と上記ロータ９の外周面との同軸度を向上させる事もできる。


【手続補正３】
【補正対象書類名】明細書
【補正対象項目名】符号の説明
【補正方法】変更
【補正の内容】
【符号の説明】
１    ハウジング
２    回転軸
３    玉軸受
４    内輪
５    段部
６    外輪
７    段部
８    予圧ばね
９    ロータ
１０    ステータ
１１    積層コア
１２    電機子コイル
１３    モータインバータ
１４    玉
１５    シール板
１６    グリース保持空間
１７    潤滑剤供給孔
１８    Ｏリング
１９    被覆
２０    ワーク
２１    取付部
２２    冷却カバー
２３    冷却媒体供給装置
２４    回転速度センサ
２５    凹溝
２６    磁気センサ
２７    回転速度制御装置
２８    ラビリンスシール
２９    圧縮空気供給装置
３０    潤滑剤供給装置
３１    治具
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
第１の波長から第２の波長へと波長を変更して光信号を出力することが可能な波長可変光送信装置において、
前記第１の波長と前記第２の波長の間に含まれる少なくとも一部の波長の光信号を出力しながら前記第１の波長から前記第２の波長へと波長を変更して光信号を出力する波長可変光送信器と、
前記波長可変光送信器からの光信号を入力され、前記波長可変光送信器からの光信号を遮断し、または通過させる光ゲートと、
前記波長可変光送信器の出力する光信号の波長を前記第１の波長から前記第２の波長に変更する間は、光信号を遮断するよう前記光ゲートを制御するコントローラと、を含む波長可変光送信装置。
【請求項２】
請求項１に記載の波長可変光送信装置において、
前記光ゲートからの光信号を入力され、入力された光信号に変調を加えて出力する光変調器を有することを特徴とする波長可変光送信装置。
【請求項３】
請求項１に記載の波長可変光送信装置において、
前記波長可変光送信器と前記光ゲートの間に、前記波長可変光送信器から入力された光信号に変調を加えて前記光ゲートへ出力する光変調器を有することを特徴とする波長可変光送信装置。
【請求項４】
請求項１に記載の波長可変光送信装置において、
前記波長可変光送信器は、
前記第１の波長、前記第２の波長および前記第１の波長から前記第２の波長の間の波長の光信号の少なくとも一部を出力することができる可変光源と、
前記波長可変光源からの光信号を第１の光信号と第２の光信号に分岐し、前記第１の光信号を前記光ゲートへ向けて出力する光分岐器と、
前記第２の光信号を入力され、入力された光信号の波長を監視する波長監視回路と、
前記波長監視回路の監視の結果に基づいて、前記波長可変光源を駆動する光源駆動回路とを有することを特徴とする波長可変光送信装置。
【請求項５】
請求項４に記載の波長可変光送信装置において、
前記コントローラは光信号の波長を前記第１の波長から前記第２の波長へ変更する場合に、前記波長監視回路の監視した波長と前記第２の波長を比較し、前記監視した波長が前記第２の波長に近づくように前記光源駆動回路を制御することを特徴とする波長可変光送信装置。
【請求項６】
請求項１に記載の波長可変光送信装置において、
前記光ゲートは、前記波長可変光送信器からの光信号に変調を加えて通過させることを特徴とする波長可変光送信装置。
【請求項７】
波長の異なる複数の光信号を多重化して送信する光送信装置において、
複数のデータ信号から任意のデータ信号を選択して出力するセレクタと、
前記複数のデータ信号をそれぞれ受信し、それぞれ異なる波長の光信号として出力する複数の光送信器と、
前記セレクタの出力するデータ信号を受信し、任意の波長の光信号として出力する波長可変光送信器と、
前記複数の光送信器および前記波長可変光送信器の出力する光信号を多重化して出力する光コンバイナとを有し、
複数の光送信器のうち第１の波長の光信号を出力する光送信器が故障した場合に、
前記セレクタは前記故障した光送信器が受信するデータ信号を選択して出力し、
前記波長可変光送信器は、出力する光信号の波長が前記第１の波長となるまでの間光信号の出力を遮断した後で、前記セレクタからのデータ信号を前記第１の波長の光信号として出力することを特徴とする光送信装置。
【請求項８】
波長の異なる複数の光信号を多重化して伝送する光伝送装置において、
波長多重された光信号を受信し、それぞれの波長の光信号に分離して出力する波長分離器と、
前記波長分離器から出力された光信号をそれぞれ電気信号に変換して出力する光受信器と、
前記光受信器からの複数の電気信号をそれぞれ受信して、異なる波長の光信号として出力する複数の光送信器と、
前記複数の光送信器のいずれか１つが故障したときに使用することが可能な、受信した電気信号を任意の波長の光信号として出力する波長可変光送信器と、
前記複数の光送信器からの光信号を多重化して出力する光コンバイナとを有し、
複数の光送信器のうち第１の波長の光信号を出力する光送信器が故障した場合に、前記波長可変光送信器は前記故障した光送信器の受信する電気信号を受信し、出力する光信号の波長が前記第１の波長となるまでの間光信号の出力を遮断した後で、前記第１の波長の光信号として出力することを特徴とする光送信装置。
【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
電子メールを受信する電子メール受信手段と、
該電子メールのテキストパートを解析する解析手段と、
前記解析手段による解析の結果、該テキストパートが一対の所定のコード間に挿入された文字列を有するならば、該文字列を印刷処理を施しても現れない非印字コードで置換することによって該テキストパートを加工する加工手段と、
前記加工手段に加工されたテキストパートを含む電子メールの内容を出力する出力手段と、
を具備することを特徴とするインターネットファクシミリ装置。
【請求項２】
電子メールを受信する電子メール受信手段と、
該電子メールのテキストパートを解析する解析手段と、
前記解析手段による解析の結果、該テキストパートが一対の所定のコード間に挿入された文字列を有するならば、該文字列を削除することによって該テキストパートを加工する加工手段と、
前記加工手段に加工されたテキストパートを含む電子メールの内容を出力する出力手段と、
を具備することを特徴とするインターネットファクシミリ装置。
【請求項３】
電子メールを受信する電子メール受信手段と、
該電子メールのテキストパートを解析する解析手段と、
前記解析手段による解析の結果、該テキストパートが所定のコードで始まる行を有するならば、該行を印刷処理を施しても現れない非印字コードで置換することによって該テキストパートを加工する加工手段と、
前記加工手段に加工されたテキストパートを含む電子メールの内容を出力する出力手段と、
を具備することを特徴とするインターネットファクシミリ装置。
【請求項４】
電子メールを受信する電子メール受信手段と、
該電子メールのテキストパートを解析する解析手段と、
前記解析手段による解析の結果、該テキストパートが所定のコードで始まる行を有するならば、該行を削除することによって該テキストパートを加工する加工手段と、
前記加工手段に加工されたテキストパートを含む電子メールの内容を出力する出力手段と、
を具備することを特徴とするインターネットファクシミリ装置。
【請求項５】
電子メールを受信する電子メール受信手段と、
該電子メールのテキストパートを解析する解析手段と、
前記解析手段による解析の結果、該テキストパートが所定のコードに囲まれた文字列を有するならば、該文字列を印刷処理を施しても現れない非印字コードで置換することによって該テキストパートを加工する加工手段と、
前記加工手段に加工されたテキストパートを含む電子メールの内容を出力する出力手段と、
を具備することを特徴とするインターネットファクシミリ装置。
【請求項６】
電子メールを受信する電子メール受信手段と、
該電子メールのテキストパートを解析する解析手段と、
前記解析手段による解析の結果、該テキストパートが所定のコードに囲まれた文字列を有するならば、該文字列を削除することによって該テキストパートを加工する加工手段と、
前記加工手段に加工されたテキストパートを含む電子メールの内容を出力する出力手段と、
を具備することを特徴とするインターネットファクシミリ装置。
【請求項７】
前記非印字コードは、改行コードを含むことを特徴とする請求項１、３、５の何れかに記載のインターネットファクシミリ装置。
【請求項８】
前記非印字コードは、空白コードを含むことを特徴とする請求項１、３、５の何れかに記載のインターネットファクシミリ装置。
【請求項９】
前記非印字コードは、タブコードを含むことを特徴とする請求項１、３、５の何れかに記載のインターネットファクシミリ装置。
【請求項１０】
電子メールを受信するステップと、
受信した該電子メールのテキストパートを解析するステップと、
解析の結果、該テキストパートが一対の所定のコード間に挿入された文字列を有するならば、該文字列を印刷処理を施しても現れない非印字コードで置換することによって該テキストパートを加工するステップと、
加工されたテキストパートを含む電子メールの内容を出力するステップと、
を具備することを特徴とする電子メール受信方法。
【請求項１１】
電子メールを受信するステップと、
受信した該電子メールのテキストパートを解析するステップと、
解析の結果、該テキストパートが一対の所定のコード間に挿入された文字列を有するならば、該文字列を削除することによって該テキストパートを加工するステップと、
加工されたテキストパートを含む電子メールの内容を出力するステップと、
を具備することを特徴とする電子メール受信方法。
【請求項１２】
電子メールを受信するステップと、
受信した該電子メールのテキストパートを解析するステップと、
解析の結果、該テキストパートが所定のコードで始まる行を有するならば、該行を印刷処理を施しても現れない非印字コードで置換することによって該テキストパートを加工するステップと、
加工されたテキストパートを含む電子メールの内容を出力するステップと、
を具備することを特徴とする電子メール受信方法。
【請求項１３】
電子メールを受信するステップと、
受信した該電子メールのテキストパートを解析するステップと、
解析の結果、該テキストパートが所定のコードで始まる行を有するならば、該行を削除することによって該テキストパートを加工するステップと、
加工されたテキストパートを含む電子メールの内容を出力するステップと、
を具備することを特徴とする電子メール受信方法。
【請求項１４】
電子メールを受信するステップと、
受信した該電子メールのテキストパートを解析するステップと、
解析の結果、該テキストパートが所定のコードで囲まれた文字列を有するならば、該文字列を印刷処理を施しても現れない非印字コードで置換することによって該テキストパートを加工するステップと、
加工されたテキストパートを含む電子メールの内容を出力するステップと、
を具備することを特徴とする電子メール受信方法。
【請求項１５】
電子メールを受信するステップと、
受信した該電子メールのテキストパートを解析するステップと、
解析の結果、該テキストパートが所定のコードで囲まれた文字列を有するならば、該文字列を削除することによって該テキストパートを加工するステップと、
加工されたテキストパートを含む電子メールの内容を出力するステップと、
を具備することを特徴とする電子メール受信方法。
【請求項１６】
前記非印字コードは、改行コードを含むことを特徴とする請求項１０，１２，１４の何れかに記載の電子メール受信方法。
【請求項１７】
前記非印字コードは、空白コードを含むことを特徴とする請求項１０，１２，１４の何れかに記載の電子メール受信方法。
【請求項１８】
前記非印字コードは、タブコードを含むことを特徴とする請求項１０，１２，１４の何れかに記載の電子メール受信方法。
【手続補正書】
【提出日】平成16年12月13日(2004.12.13)
【手続補正１】
【補正対象書類名】明細書
【補正対象項目名】請求項１６
【補正方法】変更
【補正の内容】
【請求項１６】
前記プログラムが前記ＭＦＰのアプリケーション、ジョブ制御プログラム、デバイスドライバプログラム、ファームウェアプログラムのいずれかを含むことを特徴とする請求項９乃至請求項１５のいずれか１項に記載のマルチファンクションペリフェラルシステム。
【手続補正書】
【提出日】平成16年4月28日(2004.4.28)
【手続補正１】
【補正対象書類名】明細書
【補正対象項目名】００８９
【補正方法】変更
【補正の内容】
【００８９】
また、物理特性値の変化情報を受けた管理装置３では、物理特性値の変化情報の入電時間情報を併せて記憶し、これにより間違いのない適正処理を行なうことができる。また、異常情報を受けた管理装置３では、異常情報の入電時間情報を併せて記憶し、間違いのない適正処理を行なうことができる。
【手続補正書】
【提出日】平成17年10月27日(2005.10.27)
【手続補正１】
【補正対象書類名】明細書
【補正対象項目名】００１７
【補正方法】変更
【補正の内容】
【００１７】
（カーボン分散性）
シートをヒーターにて加熱して可塑化したところでシートを引き伸ばし、薄肉化した部分にブツ状の物があるかを目視にて観察した。評価は、次のとおりである。
○：ブツ状の物が見られなかった。
△：ブツ状の物がわずかに見られた。
×：ブツ状の物がかなり見られた。
（カーボン落ち）
摩耗試験機を使用し、ＰＰＣ用紙（５０×７５ｍｍ）に荷重（４５０ｇ）を加え、９０ｍｍの移動距離を１５０往復、シート表面にこすり、用紙に付着したカーボンによる汚れの状態を観察した。評価は、次のとおりである。
○：カーボンの付着が見られなかった。
△：わずかなカーボンの付着が見られた。
×：カーボンの付着がかなり見られた。
（表面抵抗値）
テスターを用い、端子間１０ｍｍでの抵抗値を測定した。
【手続補正書】
【提出日】平成17年8月9日(2005.8.9)
【手続補正１】
【補正対象書類名】明細書
【補正対象項目名】００２６
【補正方法】変更
【補正の内容】
【００２６】
上記した方法により、マロン式機械的安定性測定装置により２０℃、荷重０．５ｋｇ／ｃｍ２、１０００ｒｐｍの条件で１０分間試験を行った後、６０メッシュ（ＡＳＴＭ式標準フルイ）ステンレス製金網でろ過したときのろ過残渣がエマルジョンの固形分に対して０．５重量％以下である水性エマルジョンを得ることができる。
【手続補正２】
【補正対象書類名】明細書
【補正対象項目名】００２９
【補正方法】変更
【補正の内容】
【００２９】
また、本発明の合成樹脂エマルジョン粉末の貯蔵安定性、水への再分散性を向上させる目的で、無機粉末（ブロッキング防止剤）を使用することが望ましい。無機粉末は、噴霧乾燥後のエマルジョン粉末に添加して均一に混合しても良いが、噴霧乾燥する際に合成樹脂エマルジョンを無機粉末の存在下に噴霧すると（同時噴霧）、均一な混合を行うことができ好適である。無機粉末は平均粒径０．１〜１００μｍの微粒子であることが好適である。無機粉末としては、微粒子の無機粉末が好ましく、炭酸カルシウム、クレー、無水珪酸、珪酸アルミニウム、ホワイトカーボン、タルク、アルミナホワイト等が使用される。これらの無機粉末のうち、無水珪酸が好適である。無機粉末の使用量は、無機粉末を多量に添加し過ぎると合成樹脂エマルジョンの性能が低下することがあるので、エマルジョン粉末に対して好ましくは２０重量％以下、さらに好ましくは１０重量％以下である。無機粉末の使用量の下限値は好ましくは０．１重量％以上、さらに好ましくは０．２重量％以上である。また、有機系のフィラーも使用できる。
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
回動可能なアクセルペダルと、
前記アクセルペダルに反力を付加する反力付加手段と、
車両状態および車両周囲の走行環境に応じた反力制御を行うときの第１の特性と反力制御を行わないときの第２の特性のいずれか一方の特性で前記反力付加手段がペダル反力を付加するように、反力付加パターンを選択する選択手段とを備え、
前記第１の特性は、前記アクセルペダルの踏み込み量に対してヒステリシスのない、もしくは少ない状態でペダル反力を付加する特性であり、前記第２の特性は、前記アクセルペダルの踏み込み量に対して前記第１の特性のヒステリシスよりも大きなヒステリシスを有する状態で反力を付加する特性であることを特徴とするアクセルペダル装置。
【請求項２】
請求項１に記載のアクセルペダル装置において、
前記反力付加手段は、
前記アクセルペダルの踏み込み量に応じた反力を付加するばね部材と、
前記第１の特性に応じた反力付加パターンが選択されると前記ばね部材による反力に車両状態および車両周囲の走行環境に応じた反力を付加し、前記第２の特性に応じた反力付加パターンが選択されると前記ばね部材による反力にヒステリシス状に反力を付加するアクチュエータとを有し、
前記アクチュエータは、前記アクセルペダルの回動軸にトルク反力を付加するサーボモータであることを特徴とするアクセルペダル装置。
【請求項３】
請求項２に記載のアクセルペダル装置において、
前記サーボモータの出力軸と前記アクセルペダルの回動軸は、ギヤ機構を介してほぼ同軸上に配置されることを特徴とするアクセルペダル装置。
【請求項４】
請求項２または３に記載のアクセルペダル装置において、
前記選択手段は、前記第１の特性に応じた反力付加パターンが選択されると車両状態および車両周囲の走行環境に応じた制御電流を前記サーボモータに出力し、前記第２の特性に応じた反力付加パターンが選択されると前記サーボモータの両側端子を短絡することを特徴とするアクセルペダル装置。
【請求項５】
請求項２〜４のいずれか１項記載のアクセルペダル装置において、
前記ばね部材は、一端を前記アクセルペダルに連結され、他端を車体に連結された引張ばねであることを特徴とするアクセルペダル装置。
【手続補正２】
【補正対象書類名】明細書
【補正対象項目名】０００５
【補正方法】変更
【補正の内容】
【０００５】
本発明によるアクセルペダル装置は、回動可能なアクセルペダルと、アクセルペダルに反力を付加する反力付加手段と、車両状態および車両周囲の走行環境に応じた反力制御を行うときの第１の特性と反力制御を行わないときの第２の特性のいずれか一方の特性で反力付加手段がペダル反力を付加するように反力付加パターンを選択する選択手段とを備え、第１の特性を、アクセルペダルの踏み込み量に対してヒステリシスのない、もしくは少ない状態でペダル反力を付加する特性とし、第２の特性を、アクセルペダルの踏み込み量に対して第１の特性のヒステリシスよりも大きなヒステリシスを有する状態で反力を付加する特性とする。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
複数のメロディのデータを記憶することが可能である記憶部を有する無線受信機であって、自己のアドレスに対応するアドレスデータとメロディのデータを含むメッセージを着信すると、着信したメッセージにメロディを表す情報が含まれる場合には、利用者の指示に従って、メロディのデータを記憶部に追加して格納し、格納したメロディのデータが報知音として選択されている時は、選択したメロディを報知音として鳴動することを特徴とする無線受信機。
【手続補正２】
【補正対象書類名】明細書
【補正対象項目名】０００７
【補正方法】変更
【補正の内容】
【０００７】
上記従来例の問題点を解決するための本発明は、複数のメロディのデータを記憶することが可能である記憶部を有する無線受信機であって、自己のアドレスに対応するアドレスデータとメロディのデータを含むメッセージを着信すると、着信したメッセージにメロディを表す情報が含まれる場合には、利用者の指示に従って、メロディのデータを記憶部に追加して格納し、格納したメロディのデータが報知音として選択されている時は、選択したメロディを報知音として鳴動することを特徴としており、利用者が報知音を容易に追加できる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明によれば、複数のメロディのデータを記憶することが可能である記憶部を有する無線受信機であって、自己のアドレスに対応するアドレスデータとメロディのデータを含むメッセージを着信すると、着信したメッセージにメロディを表す情報が含まれる場合には、利用者の指示に従って、メロディのデータを記憶部に追加して格納し、格納したメロディのデータが報知音として選択されている時は、選択したメロディを報知音として鳴動する無線受信機としているので、利用者が報知音を容易に追加できるという効果がある。
【手続補正５】
【補正対象書類名】明細書
【補正対象項目名】００１０
【補正方法】削除
【補正の内容】
【手続補正書】
【提出日】平成17年1月13日(2005.1.13)
【手続補正１】
【補正対象書類名】明細書
【補正対象項目名】００１５
【補正方法】変更
【補正の内容】
【００１５】
なお、ウェーブレット変換・逆ウェブレット変換ユニット１，３としては、以下に述べるように、通常のウェーブレット変換（ＷＴ）と定常（ｓｔａｔｉｏｎａｒｙ）ウェーブレット変換（ＳＷＴ）が考えられる。
【手続補正２】
【補正対象書類名】明細書
【補正対象項目名】００２６
【補正方法】変更
【補正の内容】
【００２６】
〔２〕定常ウェーブレット変換
離散時系列について、ある時刻で全ての周波数成分を見るためには、全てのｊについてДj のサンプリング間隔を揃える必要がある。まず、射影でｆ（ｔ）を得て、下記式（３）の定常ウェーブレット変換（以下ＳＷＴと略す）を用いればよい。なお、Дはｄの太文字に代替させて表示している。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
絶縁表面上に形成された第１の導電膜と、
前記第１の導電膜上に形成された無機絶縁膜と有機樹脂膜との積層膜と、
前記無機絶縁膜及び前記有機樹脂膜を貫くコンタクトホールと、
前記有機樹脂膜上に形成された第２の導電膜とを有し、
前記コンタクトホールは一度のエッチング工程により形成されたものであり、
前記コンタクトホールの底面で、前記第２の導電膜は前記第１の導電膜と接続されていることを特徴とする半導体装置。
【請求項２】
絶縁表面上に形成された第１の導電膜と、
前記第１の導電膜上に形成された無機絶縁膜と有機樹脂膜との積層膜と、
前記無機絶縁膜及び前記有機樹脂膜を貫くコンタクトホールと、
前記有機樹脂膜上に形成された第２の導電膜とを有し、
前記コンタクトホールの底面で、前記第２の導電膜は前記第１の導電膜と接続され、
前記コンタクトホールは一度のエッチング工程により形成されたものであり、
前記コンタクトホールの底面と接する前記無機絶縁膜のエッジ部はテーパー状に水平面から３０°〜８０°の角度範囲を有し、前記無機絶縁膜と接する前記有機樹脂膜のエッジ部は水平面から５０°〜９０°の角度範囲を有することを特徴とする半導体装置。
【請求項３】
請求項１または請求項２において、前記第１の導電膜は薄膜トランジスタと電気的に接続されていることを特徴とする半導体装置。
【請求項４】
請求項１乃至３のいずれか一において、前記第２の導電膜は画素電極であることを特徴とする半導体装置。
【請求項５】
請求項１乃至４のいずれか一において、前記無機絶縁膜は窒化シリコン膜または窒化酸化シリコン膜であることを特徴とする半導体装置。
【請求項６】
請求項１乃至４のいずれか一において、前記無機絶縁膜は第１の絶縁膜と第２の絶縁膜を積層してなることを特徴とする半導体装置。
【請求項７】
請求項１乃至６のいずれか一に記載された半導体装置とは、アクティブマトリクス型液晶表示装置またはアクティブマトリクス型ＥＬ表示装置であることを特徴とする半導体装置。
【請求項８】
請求項１乃至７のいずれか一に記載された半導体装置とは、ビデオカメラ、デジタルカメラ、プロジェクター、ゴーグル型ディスプレイ、カーナビゲーション、パーソナルコンピュータ、または携帯情報端末であることを特徴とする半導体装置。
【請求項９】
第１の導電膜を形成する工程と、
前記第１の導電膜上に無機絶縁膜と有機樹脂膜との積層膜を形成する工程と、
前記積層膜に一度のエッチングでコンタクトホールを開口する工程と、
前記コンタクトホールの底面で前記第１の導電膜と接続するように、前記有機樹脂膜上および前記コンタクトホールに第２の導電膜を形成する工程と、を有し、
前記エッチングはフッ素系のエッチャントガスと酸素ガスとを含む混合ガスを用いたドライエッチングであることを特徴とする半導体装置の作製方法。
【請求項１０】
第１の導電膜を形成する工程と、
前記第１の導電膜上に第１の絶縁膜および該第１の絶縁膜上の第２の絶縁膜からなる無機絶縁膜と有機樹脂膜との積層膜を形成する工程と、
前記積層膜に一度のエッチングでコンタクトホールを開口する工程と、
前記コンタクトホールの底面で前記第１の導電膜と接続するように、前記有機樹脂膜上および前記コンタクトホールに第２の導電膜を形成する工程と、を有し、
前記エッチングはフッ素系のエッチャントガスと酸素ガスとを含む混合ガスを用いたドライエッチングであり、
前記第２の絶縁膜は前記有機樹脂膜および前記第１の絶縁膜の膜厚よりも薄く形成され、且つ前記第２の絶縁膜は前記有機樹脂膜および前記第１の絶縁膜よりもエッチングレートが遅いことを特徴とする半導体装置の作製方法。
【請求項１１】
第１の導電膜を形成する工程と、
前記第１の導電膜上に窒素を含む無機絶縁膜と有機樹脂膜との積層膜を形成する工程と、
前記積層膜に一度のエッチングでコンタクトホールを開口する工程と、
前記コンタクトホールの底面で前記第１の導電膜と接続するように、前記有機樹脂膜上および前記コンタクトホールに第２の導電膜を形成する工程と、を有し、
前記エッチングはＣＦ4と酸素ガスとを含む混合ガスを用いたドライエッチングであり、
前記ドライエッチングにおける選択比（有機樹脂膜のエッチングレート／窒素を含む無機絶縁膜のエッチングレート）が１．６〜２．９であることを特徴とする半導体装置の作製方法。
【請求項１２】
請求項９または請求項１０において、フッ素系のエッチャントガスとはＦ2、ＢＦ3、ＳｉＦ4、ＨＦ若しくはＣＦ4、またはこれらを塩素を含まない気体で希釈したものであることを特徴とする半導体装置の作製方法。
【請求項１３】
請求項１１において、前記窒素を含む無機絶縁膜として窒化シリコン膜または窒化酸化シリコン膜が形成されることを特徴とする半導体装置の作製方法。
【手続補正２】
【補正対象書類名】明細書
【補正対象項目名】０１６８
【補正方法】変更
【補正の内容】
【０１６８】
図１６（Ａ）の状態を得た後、フォトリソグラフィ法によりレジストマスク１６０５を形成し、積層形成された第１絶縁膜１６０２及び第２絶縁膜１６０３と有機樹脂膜１６０４との積層膜を同時に１回でエッチングしてコンタクトホールの開口を行う。（図１６（Ｂ））このエッチングは、少なくともフッ素系のエッチャントガスと酸素を含む混合ガスを用いたドライエッチングである。本実施例においては、ＣＦ4流量を５０ｓｃｃｍ、Ｏ2流量を５０ｓｃｃｍ、Ｈｅ流量を３５ｓｃｃｍとし、ＲＦ電力４００Ｗ、ガス圧０．３Ｔｏｒｒとしてドライエッチングを行った。
【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
エッチングセルの型式の半導体ウェハーの片面エッチング装置であって、半導体ウェハー（１）よりも小さい中央開口（４）を備えたプレート状のベース部材（２）と、ベース部材（２）の片側の中央開口（４）を閉じかつベース部材（２）上に取り外し可能に保持された蓋（３）とから成り、
半導体ウェハー（１）は、２つの弾性シールから成るシール装置（５）によってベース部材（２）上に保持されるようになっており、２つの弾性シールは、中央開口（４）のまわりに同心的に互いに間隔をおいて配列されておりかつ２つの弾性シールの間に真空導孔（８）が通じている前記半導体ウェハーの片面エッチング装置において、
シール装置（５）が、ベース部材（２）の蓋（３）に面した側に配置されておりかつシール装置（５）上及びシール装置に保持された半導体ウェハー（１）上に当接する蓋（３）が、他のシール装置（９）の装入の下にベース部材（２）上に取り外し可能に保持されていることによって、半導体ウェハーの縁領域及び裏面は、エッチング媒体による浸食から保護されることを特徴とする前記装置。
【請求項２】
蓋（３）が、ベース部材（２）上に枢支されて取付けられていることを特徴とする請求項１に記載の装置。
【請求項３】
蓋（３）が、２つの弾性シール（６、７）から成る追加のシール装置（９）によってベース部材（２）上に保持されており、２つの弾性シールは、他のシール装置（５）のまわりに同心的に互いに間隔をおいて配列されておりかつ追加のシール装置（９）の間には他の真空導孔（１０）が通じていることを特徴とする請求項１に記載の装置。
【請求項４】
弾性シール（６、７）がリップ型シールとして形成されていることを特徴とする請求項１から３までのうちのいずれか一項に記載の装置。
【請求項５】
シール装置（５、９）が、ベース部材（２）上に取り替え可能に保持されていることを特徴とする請求項１から４までのうちのいずれか一項に記載の装置。
【請求項６】
蓋（３）が、半導体ウェハー（１）に対して当接保持された接触ばね（１２）を備えた接触ばね装置（１１）を有することを特徴とする請求項１から４までのうちのいずれか一項に記載の装置。
【請求項７】
ベース部材（２）が、蓋室（１４）中に通じる少なくとも１つのダクト（１３）を有することを特徴とする請求項１から６までのうちのいずれか一項に記載の装置。
【手続補正２】
【補正対象書類名】明細書
【補正対象項目名】０００７
【補正方法】変更
【補正の内容】
【０００７】
基本的には、プラスチックからなるシール装置とベース部材とを１つの部材にすることが可能である。しかし長い間においては、構造がシール装置がベース部材上に取り替え可能に保持される場合には、よりコストが安くなる。
【手続補正３】
【補正対象書類名】明細書
【補正対象項目名】００１４
【補正方法】変更
【補正の内容】
【００１４】
図３に示される実施例においては、蓋３は、枢支可能にかつ固定ヨーク１５によってベース部材２に対して圧着され得るように、ベース部材２上に取付けられており、一方縁に装入された弾性シールリングは、追加のシール装置９として圧縮される。ベース部材２及びシール装置５は、この場合に相異なる材料から作られていることが分かる。シール装置５は、ねじクランプリングによってベース部材２上に取り替え可能に保持されている。
【手続補正書】
【提出日】平成17年4月12日(2005.4.12)
【手続補正１】
【補正対象書類名】明細書
【補正対象項目名】発明の名称
【補正方法】変更
【補正の内容】
【発明の名称】処理装置及び処理方法
【手続補正２】
【補正対象書類名】明細書
【補正対象項目名】特許請求の範囲
【補正方法】変更
【補正の内容】
【特許請求の範囲】
【請求項１】
処理室と、この処理室と連通するロード・ロック室と、このロード・ロック室内に設けられ、前記処理室に被処理体を搬入・搬出する搬送機構とを備えた処理装置において、
前記ロード・ロック室内に被処理体の切欠部を検出して被処理体を位置決めする位置決め機構を設け、前記ロード・ロック室の圧力調整と同時に前記位置決め機構によって前記被処理体の切欠部を検出して位置決めすることを特徴とする処理装置。
【請求項２】
前記位置決め機構は、切欠部を有する被処理体を保持して回転させる回転テーブルと、この回転テーブルを回転駆動する超音波モータと、前記被処理体の切欠部を検出する光学的検出手段と、この光学的検出手段からの検出信号によって前記超音波モータを制御する制御部とからなることを特徴とする請求項１記載の処理装置。
【請求項３】
前記位置決め機構は、切欠部を有する被処理体を保持して回転させる回転テーブルと、この回転テーブルを回転駆動するリニアモータと、前記被処理体の切欠部を検出する光学的検出手段と、この光学的検出手段からの検出信号によって前記リニアモータを制御する制御部とからなることを特徴とする請求項１記載の処理装置。
【請求項４】
前記位置決め機構は、被処理体を搬送する搬送アームに搭載されていることを特徴とする請求項１記載の処理装置。
【請求項５】
処理室と、この処理室と連通する圧力調整可能なロード・ロック室とを備え、このロード・ロック室から前記処理室に被処理体を搬入して処理する処理方法において、
前記ロード・ロック室内の圧力調整と同時に、該ロード・ロック室内で前記被処理体の切欠部を検出して被処理体を位置決めすることを特徴とする処理方法。
【手続補正３】
【補正対象書類名】明細書
【補正対象項目名】０００１
【補正方法】変更
【補正の内容】
【０００１】
【発明の属する技術分野】
この発明は、ノッチ、オリエンテーションフラット等の切欠部を有する半導体ウェーハ等の被処理体を位置決めする手段を備えた処理装置及び処理方法に関する。
【手続補正４】
【補正対象書類名】明細書
【補正対象項目名】０００９
【補正方法】変更
【補正の内容】
【０００９】
この発明は、前記事情に着目してなされたもので、その目的とするところは、スループットの向上とロード・ロック室の薄型化により装置の小型化を図ることができる処理装置及び処理方法を提供することにある。
【手続補正５】
【補正対象書類名】明細書
【補正対象項目名】００１３
【補正方法】変更
【補正の内容】
【００１３】
請求項４は、請求項１の前記位置決め機構は、被処理体を搬送する搬送アームに搭載されていることを特徴とする。
請求項５は、処理室と、この処理室と連通する圧力調整可能なロード・ロック室とを備え、このロード・ロック室から前記処理室に被処理体を搬入して処理する処理方法において、前記ロード・ロック室内の圧力調整と同時に、該ロード・ロック室内で前記被処理体の切欠部を検出して被処理体を位置決めすることを特徴とする。
【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
細孔直径が１〜１０ｎｍの範囲内にある細孔を有し，該細孔の内部に液体の蒸気圧を低下させる降圧剤を添着したメソ多孔体よりなることを特徴とする蒸気吸放出材料。
【請求項２】
請求項１において、上記メソ多孔体は、中心細孔直径が１〜１０ｎｍであり、かつ全細孔容積に占める中心細孔直径の±４０％の範囲内の直径を有する細孔の全容積の割合が６０％以上であることを特徴とする蒸気吸放出材料。
【請求項３】
請求項１又は２において、上記メソ多孔体は、１ｎｍ以上のｄ値に相当する回折角度に１本以上のピークを有するＸ線回折パターンを示す多孔体であることを特徴とする蒸気吸放出材料。
【請求項４】
請求項１〜３のいずれか一項において、上記メソ多孔体は、水蒸気吸着等温線において、相対蒸気圧が０．２変化したときの吸着量変化の最大が０．１ｇ／ｇ以上の部分を有することを特徴とする蒸気吸放出材料。
【請求項５】
請求項１〜４のいずれか一項において、上記降圧剤は、金属塩であることを特徴とする蒸気吸放出材料。
【請求項６】
請求項１〜４のいずれか一項において、上記降圧剤は、糖類、ビタミン、アルコールであることを特徴とする蒸気吸放出材料。
【手続補正２】
【補正対象書類名】図面
【補正対象項目名】図１３
【補正方法】変更
【補正の内容】
【図１３】
1999114410.tif 000001
【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
回転する釜軸に固定された外釜と、該外釜に回転可能に嵌合されると共に針板に設けられた一対の係止部材の間に遊挿される係合突起を備えた中釜と、を備えたミシンの前記中釜の中釜当接部に作用して中釜を外釜の回転方向と反対方向に回転させて前記係止部材と前記係合突起との間の中釜止め部に上糸ループ通過間隙を形成するオープナーにおいて、
中釜当接部に作用するオープナー先端部が作用時に速度を遅くするミシンのオープナー。
【請求項２】
回転する釜軸に固定された外釜と、該外釜に回転可能に嵌合されると共に針板に設けられた一対の係止部材の間に遊挿される係合突起を備えた中釜と、を備えたミシンの前記中釜の中釜当接部に作用して中釜を外釜の回転方向と反対方向に回転させて前記係止部材と前記係合突起との間の中釜止め部に上糸ループ通過間隙を形成するオープナーにおいて、
該間隙を形成した後のオープナー先端部が中釜から離れる方向が、中釜当接部にほぼ沿った方向であるミシンのオープナー。
【請求項３】
回転する釜軸に固定された外釜と、該外釜に回転可能に嵌合されると共に針板に設けられた一対の係止部材の間に遊挿される係合突起を備えた中釜と、を備えたミシンの前記中釜の中釜当接部に作用して中釜を外釜の回転方向と反対方向に回転させて前記係止部材と前記係合突起との間の中釜止め部に上糸ループ通過間隙を形成するオープナーにおいて、
中釜当接部に作用するオープナー先端部が外釜回転方向と同方向回りの楕円運動軌跡をとるミシンのオープナー。
【請求項４】
楕円運動軌跡が中釜当接部に沿った方向に長径を有する請求項３に記載のミシンのオープナー。
【請求項５】
楕円運動軌跡の長径方向における、オープナー先端部が中釜から離れる位置から外側の部分が１０〜５０％である請求項３又は請求項４に記載のミシンのオープナー。
【請求項６】
外釜剣先が針落点と合致するときの角度を０°とした釜回転角度が２５０〜２９０°のときに、オープナー先端部が楕円運動軌跡における中釜から最も離れた位置にある請求項３から請求項５の何れか１項に記載のミシンのオープナー。
【請求項７】
回転する釜軸に固定された外釜と、該外釜に回転可能に嵌合されると共に針板に設けられた一対の係止部材の間に遊挿される係合突起を備えた中釜と、を備えたミシンの前記中釜の中釜当接部に作用して中釜を外釜の回転方向と反対方向に回転させて前記係止部材と前記係合突起との間の中釜止め部に上糸ループ通過間隙を形成するオープナーにおいて、
釜軸に固定された偏心カムを一端部において包持すると共に、中釜案内リンク軸に揺動可能に支持された中釜案内リンクが中間部に揺動可能に連結された中釜案内腕の他端部に固定されたミシンのオープナー。
【請求項８】
中釜案内腕、中釜案内リンクの連結部中心とオープナー先端部とを結ぶ線が中釜案内腕の中心線と交わる角度を４０°〜７０°とした請求項７に記載のミシンのオープナー。
【手続補正２】
【補正対象書類名】明細書
【補正対象項目名】０００６
【補正方法】変更
【補正の内容】
【０００６】【課題を解決するための手段】本発明のミシンのオープナー１は、回転する釜軸４に固定された外釜９と、該外釜９に回転可能に嵌合されると共に針板１１に設けられた一対の係止部材１２，１３の間に遊挿される係合突起１０ａを備えた中釜１０と、を備えたミシンの前記中釜１０の中釜当接部１０ｂに作用して該中釜１０を外釜９の回転方向と反対方向に回転させて前記係止部材１２と前記係合突起１０ａとの間の中釜止め部に上糸ループ通過間隙を形成するものであって、中釜当接部１０ｂに作用するオープナー先端部１ａが作用時に速度を遅くするものである。
【手続補正３】
【補正対象書類名】明細書
【補正対象項目名】０００７
【補正方法】変更
【補正の内容】
【０００７】
本発明のミシンのオープナー１は、回転する釜軸４に固定された外釜９と、該外釜９に回転可能に嵌合されると共に針板１１に設けられた一対の係止部材１２，１３の間に遊挿される係合突起１０ａを備えた中釜１０と、を備えたミシンの前記中釜１０の中釜当接部１０ｂに作用して該中釜１０を外釜９の回転方向と反対方向に回転させて前記係止部材１２と前記係合突起１０ａとの間の中釜止め部に上糸ループ通過間隙を形成するものであって、該間隙を形成した後のオープナー先端部１ａが中釜１０から離れる方向が、中釜当接部１０ｂにほぼ沿った方向であるものである。
【手続補正４】
【補正対象書類名】明細書
【補正対象項目名】０００８
【補正方法】変更
【補正の内容】
【０００８】
本発明のミシンのオープナー１は、回転する釜軸４に固定された外釜９と、該外釜９に回転可能に嵌合されると共に針板１１に設けられた一対の係止部材１２，１３の間に遊挿される係合突起１０ａを備えた中釜１０と、を備えたミシンの前記中釜１０の中釜当接部１０ｂに作用して該中釜１０を外釜９の回転方向と反対方向に回転させて前記係止部材１２と前記係合突起１０ａとの間の中釜止め部に上糸ループ通過間隙を形成するものであって、中釜当接部１０ｂに作用するオープナー先端部１ａが外釜回転方向と同方向回りの楕円運動軌跡をとるものである。
【手続補正５】
【補正対象書類名】明細書
【補正対象項目名】００１２
【補正方法】変更
【補正の内容】
【００１２】
本発明のミシンのオープナー１は、回転する釜軸４に固定された外釜９と、該外釜９に回転可能に嵌合されると共に針板１１に設けられた一対の係止部材１２，１３の間に遊挿される係合突起１０ａを備えた中釜１０と、を備えたミシンの前記中釜１０の中釜当接部１０ｂに作用して該中釜１０を外釜９の回転方向と反対方向に回転させて前記係止部材１２と前記係合突起１０ａとの間の中釜止め部に上糸ループ通過間隙を形成するものであって、釜軸４に固定された偏心カム５を一端部において包持すると共に、中釜案内リンク軸６に揺動可能に支持された中釜案内リンク３が中間部に揺動可能に連結された中釜案内腕２の他端部に固定されたものである。
【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
半中空材の横断面形状に対応する形状の成形孔を有する平ダイスが備えられ、該平ダイスの後部に組み合わされたプレートに前記平ダイスのトング部が保持固定されてなることを特徴とする半中空材押出用の押出工具。
【請求項２】
前記トング部には、プレート側に面してネジ穴を備える一方、プレートには平ダイスのネジ穴と同心状態に、ボルト通し孔が前後方向に通じて存在し、前記プレートのボルト通し孔にその後方からボルトが通じており、ボルトの先端ネジ部が前記平ダイスのトング部のネジ穴に螺合、締結された状態である事によって前記プレートに前記トング部が保持固定されてなる請求項１に記載の半中空材押出用の押出工具。
【請求項３】
前記プレートの前方側の端面には、前記ボルト通し孔と同心状態に前方突出部を備え、その先端面が前記トング部の背面側に、これを覆うように当接され、凹凸嵌合されるようになされている請求項２に記載の半中空材押出用の押出工具。
【請求項４】
前記半中空材が、横断面Ｃ字状の保持部と、該Ｃ字状の保持部の周方向における両先端部から外方に突出された突出部とを備え、前記半中空材の両外方突出部に対応する成形孔部分に隣接した部位に、メタルフローを制御するリブを備えた請求項１ないし３のいずれかに記載の半中空材押出用の押出工具。
【請求項５】
前記半中空材が自動車用のエンジンマウント用フレーム材である請求項１ないし４のいずれかに記載の半中空材押出用の押出工具。
【請求項６】
請求項１ないし４のいずれかに記載の押出工具を用いて半中空材を押し出すことを特徴とする押出方法。
【請求項７】
前記半中空材が自動車用のエンジンマウント用フレーム材である請求項６に記載の押出方法。